(57)【要約】【課題】取り付け精度が十分に高められかつ作業効率が向上できるデッキ材の取付構造および取付方法を提供すること。【解決手段】取付部材１０の規制片部１５によってデッキ材２の突出片部２Ｂが上方に移動規制されるとともに、水平方向には移動規制されないことで、デッキ材２を位置調節してから、このデッキ材２における反対側の突出片部２Ｂに次の取付部材１０の係合片部１４を係合させて位置決めすることができ、張り始めから張り終わりのデッキ材２に至るまで所定の位置に取り付けることができ、取り付け精度を向上させることができる。また、デッキ材２を配置する際に、突出片部２Ｂを取付部材１０の規制片部１５と大引５との隙間に挿通するだけでよいので、簡単にデッキ材２を配置することができ、手間や時間が掛からずに作業効率を向上させることができる。【選択図】図４
2007224666.tif 000002
【特許請求の範囲】
【請求項１】
互いに隣接配置される複数のデッキ材を、当該デッキ材と交差して延びる横材上に取付部材を介して取り付けるデッキ材の取付構造であって、
前記デッキ材は、全体長尺状で、その長辺方向に沿った両側端縁下部から短辺方向外側に突出する突出片部を有して形成されるとともに、前記側端縁が所定の目地間隔を介して隣接するデッキ材の側端縁と対向配置され、
前記取付部材は、隣接配置される一方および他方の前記デッキ材に跨って設けられるとともに、前記横材に固定される固定片部と、前記一方のデッキ材の突出片部に係合する係合片部と、前記他方のデッキ材の突出片部の上方に位置して当該他方のデッキ材の上方への移動を規制する規制片部とを有して形成され、
前記取付部材の固定片部が前記横材に固定された固定状態において、前記係合片部は、前記一方のデッキ材の突出片部を前記横材に向かって押圧しかつ当該デッキ材の短辺方向への移動を規制可能に当該突出片部に係合し、前記規制片部は、当該規制片部と前記横材の上面との間に前記他方のデッキ材の突出片部を挿通可能に構成されているデッキ材の取付構造。
【請求項２】
前記デッキ材の突出片部には、その突出方向先端部が上方に膨出した膨出部が形成されており、
前記取付部材の係合片部は、前記膨出部の上面に当接して前記突出片部を下方に押圧可能な押圧面部と、この押圧面部の先端部から下方に突出して前記膨出部に係合可能な鉤状部とを有して形成され、
前記規制片部は、前記取付部材を前記横材に固定した状態において、前記膨出部の上端の上側に所定の間隔を介して対向するように形成されている請求項１に記載のデッキ材の取付構造。
【請求項３】
前記取付部材には、前記係合片部側において上方に延び、かつ前記デッキ材の側端縁に結合可能な結合片部が形成されている請求項１または請求項２に記載のデッキ材の取付構造。
【請求項４】
前記結合片部を有した取付部材は、前記デッキ材の長手方向両端部のうち、温度変化による伸縮の基端側となる一方の端部に設けられて前記結合片部を介してデッキ材に結合され、前記デッキ材の他方の端部および長手方向中間部において、当該デッキ材と前記取付部材とが互いに摺動可能に結合されている請求項３に記載のデッキ材の取付構造。
【請求項５】
互いに隣接配置される複数のデッキ材を、当該デッキ材と交差して延びる横材上に取付部材を介して取り付けるデッキ材の取付方法であって、
前記デッキ材は、全体長尺状で、その長辺方向に沿った両側端縁下部から短辺方向外側に突出する突出片部を有して形成され、
前記取付部材は、隣接配置される一方および他方の前記デッキ材に跨って設けられるとともに、前記横材に固定される固定片部と、前記一方のデッキ材の突出片部に係合する係合片部と、前記他方のデッキ材の突出片部の上方に位置して当該他方のデッキ材の上方への移動を規制する規制片部とを有して形成され、
前記一方のデッキ材が前記横材上に配置した状態において、前記取付部材の係合片部を当該一方のデッキ材の突出片部に係合させつつ前記固定片部を前記横材に固定し、前記係合片部で当該突出片部を前記横材に向かって押圧しかつ当該一方のデッキ材の短辺方向への移動を規制し、
前記取付部材の固定後に、前記他方のデッキ材の突出片部を前記規制片部の下面と前記横材の上面との間に挿通させ、前記側端縁同士が所定の目地間隔を介して対向するように当該他方のデッキ材を配置し、
前記他方のデッキ材の配置後に、前記一方のデッキ材とは反対側に位置する当該他方のデッキ材の突出片部に次の前記取付部材の係合片部を係合させつつ、当該次の取付部材の固定片部を前記横材に固定し、前記係合片部で当該突出片部を前記横材に向かって押圧しかつ当該他方のデッキ材の短辺方向への移動を規制するデッキ材の取付方法。
【発明の詳細な説明】
【技術分野】
【０００１】
本発明は、デッキ材の取付構造および取付方法に関し、詳しくは、互いに隣接配置される複数のデッキ材を横材上に取り付けるデッキ材の取付構造および取付方法に関する。
【背景技術】
【０００２】
従来、戸建て住宅等の庭等に設置されてテラス等として利用されるデッキ（ウッドデッキ）が知られている（例えば、特許文献１参照）。
特許文献１に記載されたデッキでは、互いに隣接配置されるデッキ材に跨って設けられる固定部材によってデッキ材が根太に固定される固定構造が採用されている。この固定構造において、デッキ材は、その側端面に連結溝を有して形成され、固定部材は、デッキ材の連結溝に係合する一対の係止部を有して形成されている。そして、隣接配置される一方のデッキ材の連結溝に一対の係止部のうちの一方を係合させてから、固定部材を根太にビス止め固定し、その後に固定部材の他方の係止部に連結溝を係合させて他方のデッキ材を配置し、この他方のデッキ材における反対側の側端面の連結溝に次の固定部材を係合させる、という手順を順次繰り返すことで複数のデッキ材が固定されるようになっている。
【０００３】
【特許文献１】特開２００２−２０６２７６号公報
【発明の開示】
【発明が解決しようとする課題】
【０００４】
しかしながら、特許文献１に記載されたような従来のデッキ材の固定構造（固定方法）では、根太に固定した固定部材の係止部に連結溝を係合させて他方のデッキ材を配置した際に、このデッキ材が固定部材に対して移動不能に係止されて動かせなくなるため、次に固定する固定部材の固定位置が他方のデッキ材によって規定されてしまう。このため、デッキ材の製造誤差（公差）によって固定部材の固定位置が徐々にずれてしまう可能性があり、張り始めのデッキ材と張り終わりのデッキ材とが平行でなくなってしまったり、取り付け後のデッキが設計通りの幅寸法（デッキ材隣接方向の長さ寸法）に収まらなかったりするなど、取り付け精度上の問題がある。さらに、従来の固定構造では、他方のデッキ材を配置する際に、このデッキ材をハンマー等で叩くなどして連結溝を固定部材の係止部に係合させる必要があり、デッキ材の長手方向に沿った複数の固定部材の全てに係合させるためには、多大の手間と時間を要してしまい、作業性の点でも問題があった。
【０００５】
本発明の目的は、取り付け精度が十分に高められかつ作業効率が向上できるデッキ材の取付構造および取付方法を提供することにある。
【課題を解決するための手段】
【０００６】
本発明のデッキ材の取付構造は、互いに隣接配置される複数のデッキ材を、当該デッキ材と交差して延びる横材上に取付部材を介して取り付けるデッキ材の取付構造であって、前記デッキ材は、全体長尺状で、その長辺方向に沿った両側端縁下部から短辺方向外側に突出する突出片部を有して形成されるとともに、前記側端縁が所定の目地間隔を介して隣接するデッキ材の側端縁と対向配置され、前記取付部材は、隣接配置される一方および他方の前記デッキ材に跨って設けられるとともに、前記横材に固定される固定片部と、前記一方のデッキ材の突出片部に係合する係合片部と、前記他方のデッキ材の突出片部の上方に位置して当該他方のデッキ材の上方への移動を規制する規制片部とを有して形成され、前記取付部材の固定片部が前記横材に固定された固定状態において、前記係合片部は、前記一方のデッキ材の突出片部を前記横材に向かって押圧しかつ当該デッキ材の短辺方向への移動を規制可能に当該突出片部に係合し、前記規制片部は、当該規制片部と前記横材の上面との間に前記他方のデッキ材の突出片部を挿通可能に構成されていることを特徴とする。
【０００７】
以上の本発明によれば、先に配置した一方のデッキ材の突出片部に係合片部を係合させつつ取付部材を横材に固定することで、一方のデッキ材が横材に対して移動不能に取り付けられる。そして、固定した取付部材の規制片部と横材との隙間に突出片部を挿通させて他方のデッキ材を配置した際に、このデッキ材が取付部材に対して上方に移動規制されるものの水平方向に移動規制されていないので、他方のデッキ材を位置調節してから、このデッキ材における反対側の突出片部に次の取付部材の係合片部を係合させることができる。従って、予め設定した固定位置となるようにデッキ材を位置調節してから取付部材を固定することで、取付部材の固定位置がずれてしまうことがなく、張り始めから張り終わりのデッキ材に至るまで所定の位置に取り付けることができ、取り付け精度を向上させることができる。また、他方のデッキ材を配置する際に、突出片部を取付部材の規制片部と横材との隙間に挿通するだけでよいので、従来のようにデッキ材をハンマー等で叩く必要がなく、小さな力で簡単にデッキ材を配置することができ、手間や時間が掛からずに作業効率を向上させることができる。
【０００８】
この際、本発明のデッキ材の取付構造では、前記デッキ材の突出片部には、その突出方向先端部が上方に膨出した膨出部が形成されており、前記取付部材の係合片部は、前記膨出部の上面に当接して前記突出片部を下方に押圧可能な押圧面部と、この押圧面部の先端部から下方に突出して前記膨出部に係合可能な鉤状部とを有して形成され、前記規制片部は、前記取付部材を前記横材に固定した状態において、前記膨出部の上端の上側に所定の間隔を介して対向するように形成されていることが好ましい。
このような構成によれば、デッキ材の突出片部先端に膨出部を形成し、取付部材の係合片部に押圧面部と鉤状部とを形成することで、簡単な構造で確実に突出片部と係合片部とを係合させることができる。また、取付部材の規制片部を突出片部の膨出部の上側に所定の間隔、例えば、１mm以下であって０．５mm程度の間隔を介して対向させることで、デッキ材の製造誤差があったとしても、突出片部の浮き上がりを規制できるとともに、突出片部を無理なく規制片部と横材との間に挿通することができて作業効率が確保できる。
【０００９】
ここで、例えば、前記取付部材の固定片部は、ビスやリベット、係止フック等の適宜な固着具により前記横材に固定され、この横材には、前記取付部材の所定の固定位置に対応したビス孔やリベット孔、係止溝、係止突起等の被固着部が予め形成されていることが好ましい。また、被固着部としてボルトを横材に固定するとともに、取付部材の固定片部に挿通孔を設けておき、ボルトを挿通孔に挿通させてから固着具としてのナットをボルトに螺合して取付部材を固定してもよい。
このような構成を採用すれば、取付部材の所定の固定位置に対応して予め横材に被固着部を形成しておき、この被固着部に取付部材の固定片部を固着具で固定することで、取付部材を設計通りの位置に固定することができ、取付精度を一層向上させることができる。さらに、取付部材を固定する際に、係合片部が先に配置したデッキ材の突出片部に係合するようにデッキ材を位置調節するだけで、簡単にデッキ材を所定位置に位置決めすることができる。
【００１０】
また、本発明のデッキ材の取付構造では、前記取付部材には、前記係合片部側において上方に延び、かつ前記デッキ材の側端縁に結合可能な結合片部が形成されていることが好ましい。
このような構成によれば、デッキ材に取付部材の結合片部を結合することで、この結合片部および固定片部を介してデッキ材を横材に対して移動不能に固定することができる。そして、取付部材において結合片部を係合片部側に形成したことで、係合片部をデッキ材の突出片部に係合させてから結合片部をデッキ材に結合することができ、他方の規制片部側におけるデッキ材の位置調節を前述の通りに実施することができる。
【００１１】
この際、本発明のデッキ材の取付構造では、前記結合片部を有した取付部材は、前記デッキ材の長手方向両端部のうち、温度変化による伸縮の基端側となる一方の端部に設けられて前記結合片部を介してデッキ材に結合され、前記デッキ材の他方の端部および長手方向中間部において、当該デッキ材と前記取付部材とが互いに摺動可能に結合されていることが好ましい。
このような構成によれば、結合片部を有した取付部材を介してデッキ材の所定の側（一方）の端部を横材に固定しておくことで、温度変化を受けてデッキ材が長手方向に伸縮する場合に、デッキ材の一方側端部を伸縮移動させずに、係合片部の押圧力のみが作用して互いに摺動可能に構成されたデッキ材の他方側端部を伸縮移動させることができる。従って、例えば縦張りのデッキであれば、建物から離れた側の端部であって幕板が取り付けられる側を伸縮の基端側として設定することで、幕板側の伸縮移動を抑えて幕板とデッキ材とに隙間ができるのを防止することができるとともに、他方側である建物側端部と建物との間で伸縮移動を吸収することができる。一方、横張りのデッキであれば、デッキの中間部でデッキ材を二分割して目地を設けておくとともに、デッキの左右両端部側を伸縮の基端側として設定することで、目地位置において伸縮移動を吸収することができる。
【００１２】
一方、本発明のデッキ材の取付方法は、互いに隣接配置される複数のデッキ材を、当該デッキ材と交差して延びる横材上に取付部材を介して取り付けるデッキ材の取付方法であって、前記デッキ材は、全体長尺状で、その長辺方向に沿った両側端縁下部から短辺方向外側に突出する突出片部を有して形成され、前記取付部材は、隣接配置される一方および他方の前記デッキ材に跨って設けられるとともに、前記横材に固定される固定片部と、前記一方のデッキ材の突出片部に係合する係合片部と、前記他方のデッキ材の突出片部の上方に位置して当該他方のデッキ材の上方への移動を規制する規制片部とを有して形成され、前記一方のデッキ材が前記横材上に配置した状態において、前記取付部材の係合片部を当該一方のデッキ材の突出片部に係合させつつ前記固定片部を前記横材に固定し、前記係合片部で当該突出片部を前記横材に向かって押圧しかつ当該一方のデッキ材の短辺方向への移動を規制し、前記取付部材の固定後に、前記他方のデッキ材の突出片部を前記規制片部の下面と前記横材の上面との間に挿通させ、前記側端縁同士が所定の目地間隔を介して対向するように当該他方のデッキ材を配置し、前記他方のデッキ材の配置後に、前記一方のデッキ材とは反対側に位置する当該他方のデッキ材の突出片部に次の前記取付部材の係合片部を係合させつつ、当該次の取付部材の固定片部を前記横材に固定し、前記係合片部で当該突出片部を前記横材に向かって押圧しかつ当該他方のデッキ材の短辺方向への移動を規制することを特徴とする。
【００１３】
このようなデッキ材の取付方法によれば、前述の取付構造の場合と同様に、予め設定した固定位置となるようにデッキ材を位置調節してから取付部材を固定することができ、取り付け精度を向上させることができる。また、他方のデッキ材の突出片部を取付部材の規制片部と横材との隙間に挿通するだけでよいので、簡単にデッキ材を配置することができ、手間や時間が掛からずに作業効率を向上させることができる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１は、本発明の第１実施形態に係るデッキ１を示す平面図である。図２は、デッキ１を示す断面図であり、図１に矢視II線で示す断面図である。図３は、デッキ１を示す一部を断面した側面図である。
図１〜図３において、デッキ１は、戸建て住宅等の庭において建物の外壁Ｗに沿って設けられたものであって、外壁Ｗの壁面に略直交する方向に延びる長尺状のデッキ材２を複数並べて設置した、いわゆる縦張りのデッキである。このデッキ１は、地盤に設けられたコンクリート製の基礎（束石）３と、この基礎３上に立設された束材４と、この束材４の上端同士を連結して略水平に設けられた横材としての大引５と、束材４の中間部同士を連結する補強材（転び止め）６とを有し、複数（本実施形態では、３本）の大引５と交差して複数のデッキ材２が互いに隣接して大引５の上面に取り付けられている。また、建物の外壁Ｗに面さないデッキ１の三方の辺におけるデッキ材２の側端面には、幕板７が取り付けられている。
【００１６】
デッキ材２は、木粉と樹脂とを練り混ぜ、型から押し出して成形した再生木製であり、互いに隣接するデッキ材２同士の間に跨って設けられる取付部材１０（第１取付部材１０Ａおよび第２取付部材１０Ｂ）を介して大引５に取り付けられるようになっている。
以下、図４〜図８も参照してデッキ材２の取付構造および取付方法について詳しく説明する。
図４は、デッキ材２の取付構造を示す断面図である。図５(Ａ)，(Ｂ)は、デッキ材２を取り付けるための取付部材１０（第１取付部材１０Ａ）を示す側面図および平面図である。図６は、デッキ材２の取付手順を説明する斜視図である。図７は、第２取付部材１０Ｂによるデッキ材２の取付構造を説明する断面図である。図８(Ａ)〜(Ｃ)は、第２取付部材１０Ｂを示す三面図である。
【００１７】
図２および図４に示すように、デッキ材２は、全体略目字形断面を有し、その長手方向に沿った両方の側端縁２Ａにおける下端部に連続し、かつ短辺方向（図中、左右方向）外側に略水平に突出する突出片部２Ｂを有して形成されている。そして、デッキ材２の突出片部２Ｂにおける突出方向先端部には、上方に膨出した膨出部２Ｃがデッキ材２の長手方向に連続して形成されている。そして、互いに隣接するデッキ材２同士は、側端縁２Ａの上端部間に所定の目地幅Ａ（例えば、５mm程度）の間隔を介して対向するように配置されている。
【００１８】
取付部材１０（第１取付部材１０Ａ）は、図５にも示すように、アルミ押出材製であり、大引５にビス止め固定される固定片部１１と、この固定片部１１の左右両側から立ち上がる一対の立上片部１２，１３と、一方（図２、４中、左側）の立上片部１２の上端に連続して外側に略水平に延びる係合片部１４と、他方（図２、４中、右側）の立上片部１３の上端に連続して外側に略水平に延びる規制片部１５とを有して形成されている。固定片部１１には、大引５に螺合するビス１６を挿通するための挿通孔１１Ａが設けられ、固定片部１１の底面のうち、規制片部１５側の端部には、下方に突出して大引５上面に当接可能な突起１１Ｂが形成されている。
【００１９】
取付部材１０の係合片部１４は、隣接配置されるデッキ材２のうちの一方（図２、４中、左側）のデッキ材２における突出片部２Ｂの膨出部２Ｃの上面に当接する押圧面部１４Ａと、この押圧面部１４Ａの先端部から下方に突出して膨出部２Ｃに係合可能な鉤状部１４Ｂとを有して形成されている。そして、取付部材１０の固定片部１１が大引５にビス止め固定された状態において、係合片部１４は、押圧面部１４Ａで膨出部２Ｃを下方に押圧するとともに、鉤状部１４Ｂで膨出部２Ｃを係止することで突出片部２Ｂに係合し、デッキ材２の上方および短辺方向への移動を規制することができるようになっている。
【００２０】
また、取付部材１０の規制片部１５は、他方（図２、４中、右側）のデッキ材２の突出片部２Ｂの上方に位置して大引５と略平行に延びる板状に形成され、突出片部２Ｂの膨出部２Ｃの上面との間に所定間隔（図４に示す隙間寸法Ｂ）を介して設けられている。すなわち、規制片部１５の下面と大引５の上面との間の間隔寸法は、膨出部２Ｃの高さ寸法よりも所定の設計値（例えば、０．５mm）だけ大きく設定されている。このような規制片部１５は、大引５の上面との間に他方のデッキ材２の突出片部２Ｂを挿通可能になっているとともに、デッキ材２の上方への移動を規制することができるようになっている。
【００２１】
以上の取付部材１０を用いたデッキ材２の取付手順としては、図１および図２における左側から右側に向かってデッキ材２が順に取り付けられるようになっており、図６に示すように、大引５に配置したデッキ材２（一方のデッキ材）の突出片部２Ｂに係合片部１４を係合させつつ、取付部材１０を大引５に固定する。ここで、大引５の上面には、取付部材１０の固定位置、つまりデッキ材２の隣接ピッチに対応したビス孔５Ａ（図４）を予め形成しておく。そして、隣接配置するデッキ材２（他方のデッキ材、不図示）の突出片部２Ｂを、固定した取付部材１０の規制片部１５と大引５との隙間に挿通させ、このデッキ材２を大引５上に配置する。
【００２２】
次に、規制片部１５下側に挿通した突出片部２Ｂと反対側において、このデッキ材２の突出片部２Ｂに、図６に示したのと同様の方法で取付部材１０の係合片部１４を係合させ、固定片部１１の挿通孔１１Ａに挿通したビス１６をビス孔５Ａに螺合して取付部材１０を固定する。この際、突出片部２Ｂの膨出部２Ｃと係合片部１４の鉤状部１４Ｂとが適切に係合するように、デッキ材２を水平方向に位置調節してから係合片部１４を係合させる。このようにビス１６を締め付けて固定片部１１を大引５に固着した状態において、固定片部１１の底面に形成された突起１１Ｂが大引５上面に当接することで、規制片部１５と大引５上面との間隔、つまり規制片部１５と膨出部２Ｃとの隙間寸法Ｂが確保できるとともに、この突起１１Ｂを支点として係合片部１４側が下方に傾くことで、押圧面部１４Ａと一方のデッキ材２の膨出部２Ｃとの圧着力が確保できるようになっている。
以上のような手順を繰り返すことで、順次デッキ材２を取り付けることができる。
【００２３】
次に、前述の取付部材１０（第１取付部材１０Ａ）と相違する第２取付部材１０Ｂについて、図７および図８に基づいて説明する。
第２取付部材１０Ｂは、係合片部１４の途中位置から上方に延びる結合片部１７を有して形成されている。この結合片部１７には、ビス１８を挿通可能な挿通孔１７Ａが形成されており、この挿通孔１７Ａを挿通したビス１８をデッキ材２の側端縁２Ａに螺合することで、結合片部１７がデッキ材２に結合できるようになっている。この第２取付部材１０Ｂを用いた場合のデッキ材２の取付手順は、前述の手順と略同様であり、固定片部１１をビス１６によって大引５に固定した後に、ビス１８によって結合片部１７をデッキ材２の側端縁２Ａに結合する手順が追加される。
このような第２取付部材１０Ｂは、図１および図３に示すように、建物の外壁Ｗと反対側（図１の下側、図３の左側）におけるデッキ材２の端部を大引５に固定するために用いられる。そして、建物の外壁Ｗ側端部およびデッキ材２の中間部は、前述の第１取付部材１０Ａを介して大引５に取り付けられている。
【００２４】
すなわち、本実施形態のデッキ１のデッキ材２では、建物の外壁Ｗと反対側の端部が温度変化による伸縮の基端側に設定されている。この基端側において、第２取付部材１０Ｂを介してデッキ材２が大引５に移動不能に固定されるとともに、外壁Ｗ側端部およびデッキ材２の中間部において、第１取付部材１０Ａの係合片部１４の押圧力によりデッキ材２の突出片部２Ｂが大引５に圧着され、規制片部１５では突出片部２Ｂが水平方向に移動規制されない。これにより、デッキ材２が温度変化によって伸縮した場合には、第２取付部材１０Ｂで大引５に固定された側のデッキ材２は移動せずに、第１取付部材１０Ａの係合片部１４と突出片部２Ｂとが互いに摺動し、デッキ材２における建物の外壁Ｗ端部が伸縮移動するようになっている。従って、建物の外壁Ｗとデッキ材２の端部との間に適宜な間隔（例えば、１０mm程度の隙間）を設けておけば、この間隔によってデッキ材２の伸縮移動を吸収することができるようになっている。一方、外壁Ｗと反対側の幕板７には、デッキ材２の伸縮による力が生じず、伸縮移動が起きないことによってデッキ材２と幕板７との間に隙間等が生じることも防止することができる。
【００２５】
このような本実施形態によれば、以下のような効果がある。
（１）すなわち、取付部材１０の規制片部１５によってデッキ材２の突出片部２Ｂが上方に移動規制されるとともに、水平方向には移動規制されないことで、デッキ材２を位置調節してから、このデッキ材２における反対側の突出片部２Ｂに次の取付部材１０の係合片部１４を係合させて位置決めすることができ、張り始めから張り終わりのデッキ材２に至るまで所定の位置に取り付けることができ、取り付け精度を向上させることができる。
【００２６】
（２）また、デッキ材２を配置する際に、突出片部２Ｂを取付部材１０の規制片部１５と大引５との隙間に挿通するだけでよいので、デッキ材２をハンマー等で叩き入れる必要がなく、小さな力で簡単にデッキ材２を配置することができ、手間や時間が掛からずに作業効率を向上させることができる。
【００２７】
（３）さらに、取付部材１０の所定の固定位置に対応して予め大引５にビス孔５Ａを形成しておき、このビス孔５Ａに取付部材１０の固定片部１１をビス止め固定することで、取付部材１０の固定作業を迅速かつ容易に実施することができるとともに、取付部材１０を設計通りの位置に固定することができ、取付精度を一層向上させることができる。
【００２８】
（４）また、デッキ材２の伸縮の基端側に設定した建物の外壁Ｗと反対側の端部が、第２取付部材１０Ｂによって大引５に移動不能に固定されているので、建物の外壁Ｗ側におけるデッキ材２端部を伸縮移動させ、外壁Ｗとの間隔で伸縮移動を吸収することができるとともに、幕板７側の端部には伸縮移動を起こさせず、幕板７とデッキ材２との間の隙間の発生が防止できる。
【００２９】
〔第２実施形態〕
次に、本発明の第２実施形態について図９および図１０に基づいて説明する。
図９は、本発明の第２実施形態に係るデッキ１Ａを示す平面図である。図１０は、デッキ１Ａを示す一部を断面した側面図である。
本実施形態におけるデッキ１Ａは、建物の外壁Ｗと略平行に延びるデッキ材２を複数並べて設置した、いわゆる横張りのデッキである点が前記第１実施形態のデッキ１と相違し、他の構成は第１実施形態と略同様である。以下、相違点について詳しく説明する。
【００３０】
デッキ１Ａにおいて、デッキ材２は、その長手方向に関してデッキ１Ａの略中央位置において二分割されて配置されており、これらのデッキ材２同士の間には、所定の隙間寸法（例えば、６mm程度）の目地Ｓが設けられている。そして、デッキ材２は、デッキ１Ａの左右両端部側において、第２取付部材１０Ｂを介して大引５に移動不能に固定されるとともに、目地Ｓの位置および各デッキ材２の中間部位置において、第１取付部材１０Ａを介して大引５に取り付けられている。すなわち、デッキ１Ａでは、図９の左右両端部、つまり各デッキ材２における目地Ｓと反対側の端部がデッキ材２の伸縮の基端部に設定されており、第２取付部材１０Ｂによる固定位置から目地Ｓ側に向かってデッキ材２が伸縮するとともに、この伸縮移動が目地Ｓの間隔によって吸収できるようになっている。
【００３１】
このような本実施形態によれば、前記（１）〜（４）の効果に加えて以下のような効果がある。
（５）すなわち、横張りのデッキ１Ａにおいて、デッキ材２を長手方向に分割して配置し、温度変化による伸縮を吸収するための目地Ｓを設けるとともに、目地Ｓと反対側のデッキ材２の端部が第２取付部材１０Ｂによって大引５に移動不能に固定され、目地Ｓ部分および中間部が第１取付部材１０Ａによって大引５に取り付けられているので、デッキ材２の伸縮移動を目地Ｓで吸収することができるとともに、幕板７とデッキ材２との間の隙間の発生が防止できる。
【００３２】
なお、本発明は、前記実施形態に限定されるものではなく、本発明の目的を達成できる他の構成等を含み、以下に示すような変形等も本発明に含まれる。
例えば、前記実施形態においては、デッキ材２として、木粉を樹脂で固めた再生木を用いたが、これに限らず、天然木やその他任意の材料からデッキ材を構成してもよい。
また、前記実施形態では、デッキ１，１Ａの平面形状が略矩形とされていたが、これに限らず、任意の平面形状にしてもよい。
【００３３】
また、前記実施形態では、結合片部１７を有した第２取付部材１０Ｂによって、伸縮の基端側におけるデッキ材２の端部を大引５に移動不能に固定することとしたが、このような第２取付部材１０Ｂを用いずに、第１取付部材１０Ａのみでデッキ材２を大引５に取り付けるように構成してもよい。さらには、第２取付部材１０Ｂのみでデッキ材２を大引５に取り付けてもよく、この場合には、デッキ材２の伸縮に対応する支持構造を別途設ければよい。
さらに、前記第１実施形態では、建物の外壁Ｗと反対側のデッキ材２端部を伸縮の基端側としたが、建物の外壁Ｗ側を伸縮の基端側に設定してもよい。
また、前記第２実施形態では、デッキ１Ａの中央部に連続した目地Ｓを形成したが、この目地Ｓは連続したものに限らず、隣接したデッキ材２同士で目地Ｓの位置が隣接した各列ごとのデッキ材２において異なるように（例えば、千鳥状になるように）、各デッキ材２の長さ寸法を適宜設定してもよい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の第１実施形態に係るデッキを示す平面図である。
【図２】前記デッキを示す断面図である。
【図３】前記デッキを示す一部を断面した側面図である。
【図４】前記デッキにおけるデッキ材の取付構造を示す断面図である。
【図５】(Ａ)，(Ｂ)は、前記デッキ材を取り付けるための取付部材を示す側面図および平面図である。
【図６】前記デッキ材の取付手順を説明する斜視図である。
【図７】図４と相違するデッキ材の取付構造を説明する断面図である。
【図８】(Ａ)〜(Ｃ)は、図５と相違する取付部材を示す三面図である。
【図９】本発明の第２実施形態に係るデッキを示す平面図である。
【図１０】前記デッキを示す一部を断面した側面図である。
【符号の説明】
【００３６】
２…デッキ材、２Ａ…側端縁、２Ｂ…突出片部、２Ｃ…膨出部、５…横材である大引、５Ａ…ビス孔、１０，１０Ａ，１０Ｂ…取付部材、１１…固定片部、１４…係合片部、１４Ａ…押圧面部、１４Ｂ…鉤状部、１５…規制片部、１６…ビス、１７…結合片部。
【図１】
2007224666.tif 000003
【図２】
2007224666.tif 000004
【図３】
2007224666.tif 000005
【図４】
2007224666.tif 000006
【図５】
2007224666.tif 000007
【図６】
2007224666.tif 000008
【図７】
2007224666.tif 000009
【図８】
2007224666.tif 000010
【図９】
2007224666.tif 000011
【図１０】
2007224666.tif 000012